(57)【要約】本発明は、基層２と、基層２の上に配置されたエアチャンバ層３と、エアチャンバ層３内に組み込まれた粒状材料１３と、粒状材料１３が少なくともほとんどエアチャンバ層３全体を充填する静止状態と、エアチャンバ層３が部分的にのみ粒状材料によって充填された調節状態との間で、エアチャンバ層３内の空気の量を調節する調節手段１と、を備えたマットレス１に関する。
2009535149.tif 000002
【特許請求の範囲】
【請求項１】
基層と、該基層の上に配置されたエアチャンバ層とを有するマットレスであって、
前記エアチャンバ層内に組み込まれた粒状材料のような固形成形材料と、
前記エアチャンバ層が実質的に前記固形成形材料のみによって充填された静止状態と、前記エアチャンバ層が部分的にのみ固形材料によって充填されてさらに加圧された空気によって充填された調節状態との間で、前記エアチャンバ層内の空気の量を調節する調節手段と、
により、特徴付けられたマットレス。
【請求項２】
前記調節手段が、
前記エアチャンバ層に空気を供給および放出する空気搬送手段と、
動作検出手段と、
前記動作検出手段に応じて前記空気搬送手段を駆動する制御手段と、
を備えたことを特徴とする請求項１に記載のマットレス。
【請求項３】
前記制御手段は、前記動作検出手段により検出された動作の初期段階に、前記エアチャンバ層を前記調節状態まで至らせるために、前記エアチャンバ層に空気を供給するように前記空気搬送手段を駆動し、前記動作の終わりに、前記エアチャンバ層を静止状態に設定するために、前記エアチャンバ層から空気を放出するように前記空気搬送手段を駆動するよう構成されたことを特徴とする請求項１または２に記載のマットレス。
【請求項４】
前記空気搬送手段が、
前記エアチャンバ層に連結され、空気収容空間を有するエアアキュムレータと、
前記空気収容空間の寸法を増加および減少する手段と、
を備えたことを特徴とする請求項１から３のいずれかに記載のマットレス。
【請求項５】
前記エアアキュムレータは、可撓性材料からなるチューブを有する管形状を備え、
前記チューブは、前記管形状内に収容され、前記空気収容空間を規定すると共に、一方の端部が閉鎖され、前記管形状内で前記端部を往復移動するために、前記端部に係合する移動手段を備えたことを特徴とする請求項４に記載のマットレス。
【請求項６】
前記移動手段が、ケーブル駆動部を備えたことを特徴とする請求項５に記載のマットレス。
【請求項７】
前記空気搬送手段は、
空気路を介して前記エアチャンバ層と連結するエアポケットと、
小容量のエアポンプと、
外部と連通する前記空気路内に配置されたバルブ手段と、
を備えたことを特徴とする請求項１から３のいずれかに記載のマットレス。
【請求項８】
前記固形成形材料は、発泡ポリスチレン粒、ラテックス、発泡体（部品ないしは断片）、ポリエーテルなどを含むグループのうちの少なくとも１つの材料であることを特徴とする請求項１から７のいずれかに記載のマットレス。
【請求項９】
エアチャンバ層は、周縁端部上で互いに気密に連結され、一定間隔で相互に連結され、相互距離を隔てて位置する２つのホイルを備えたことを特徴とする請求項１から８のいずれかに記載のマットレス。
【請求項１０】
前記ホイルは、前記粒状材料が通過するための開口部が設けられたストリップにより、相互に連結されていることを特徴とする請求項９に記載のマットレス。
【請求項１１】
前記上ホイルは、それらの間に折り目が形成されたブロック構造によって形成されていることを特徴とする請求項９に記載のマットレス。
【請求項１２】
前記上ホイルは、糸状結合要素により、前記下ホイルに連結されていることを特徴とする請求項９に記載のマットレス。
【請求項１３】
それ自体の前記固形成形材料の充填度を、それぞれ有する少なくとも２つの区画を更に備えたことを特徴とする請求項１から１２の少なくともいずれか１つに記載のマットレス。
【請求項１４】
少なくとも１つの前記区画の前記充填度が、胴体、脚、頭部、または横腹を支承する領域にある区画のようなそこで予測される負荷に対応することを特徴とする請求項１３に記載のマットレス。
【請求項１５】
加熱手段および/または冷却手段が、少なくとも前記区画の１つに配置されたことを特徴とする請求項１３または１４に記載のマットレス。
【請求項１６】
前記加熱手段および/または前記冷却手段が、２以上の区画に設けられたことを特徴とする請求項１５に記載のマットレス。
【請求項１７】
少なくとも１つの前記区画内に、関連する区画における少なくとも付勢および/または微調節のためのコア要素を更に備えたことを特徴とする請求項１３から１６の少なくともいずれか１つに記載されたマットレス。
【発明の詳細な説明】
【技術分野】
【０００１】
本発明は、例えば国際特許出願 WO 2004/098481により既知であるような、基層、ないしはアンダーレイヤ（underlayer）、およびこの基層の上に配置されたエアチャンバ層(air chamber layer)を備えたマットレスに関するものである。
【背景技術】
【０００２】
この既知のマットレスにおいては、多量の粒状材料が基層内に取り入れられている。基層内は減圧されることもあり、それにより、望ましい形状になされた後、硬くなる。特に患者であるが健康なユーザの場合もある、マットレス上に横たわっている人は、エアチャンバ層により望ましい姿勢で適切に支承される。
【０００３】
患者、またはユーザは既知のマットレスによっても適切に支承されるが、例えば治療の間、この既知のマットレスは簡単に姿勢を変えることができないので、長期間、横たわるには適していない。
【発明の開示】
【発明が解決しようとする課題】
【０００４】
本発明は、その目的として、メインクレームのプレアンブルに記載されたタイプのマットレスを提供し、それによりこの問題を解決する。
【課題を解決するための手段】
【０００５】
この目的のために、請求項１の中で特徴付けられている本発明に係るマットレスは、特に、粒状材料のような固形成形材料（solid shaping material）が前記エアチャンバ層内に組み込まれ、調節手段(adjusting mean)は、前記エアチャンバ層が実質的に前記固形成形材料のみによって充填された静止状態(resting position)と、前記エアチャンバ層が部分的にのみ固形材料によって充填されて、さらに加圧された空気によって充填された調節状態(ajusting position)との間で、前記エアチャンバ層内の空気の量を調節する、という手段を備えた。
【０００６】
静止状態においては、マットレスに横たわっている人は均一に良好に支承される一方で、調節状態に置いては、彼/彼女は簡単に姿勢を変化することができる。一度、人が姿勢を変化すると、調節手段が静止状態を解除して、それにより、よい支承が新しい状態で再び得ることができる。
【０００７】
本発明に係るマットレスのより有利な進歩は、請求項２の中で特徴付けられている。マットレスはまた、休養している人が例えば寝ている際には、この態様でよりよく機能する。彼/彼女が動きを開始し姿勢を変化すると、調節手段が大量の空気をエアチャンバ層内に供給し、それにより人は簡単に、より硬いマットレスの上で姿勢を変化することができる。一度、彼/彼女が再び安定すると、今度は、動作検出手段(movement detection mean)により検知されて、調節手段がエアチャンバ層から多量の空気を放出する。これにより、休養している人は再び、エアチャンバ層内の、下側でこの人に一致するようにそれ自体を形作る材料によって、うまく支承される。
【０００８】
更に有利な進歩が、クレーム４の中で特徴付けられている。エアチャンバ層内の空気量を増加するのに必要とされる出力がここでは制限され、これにより、関連するノイズもまた、制限することができる。
【０００９】
エアアキュムレータ(air accumulator)の好適な実施形態が、クレーム５の中で特徴付けられている。
【００１０】
好適なエアアキュムレータの他の実施形態が、クレーム７の中で特徴付けられている。必要とされるエアポンプ(air pump)は、ほんの小さな容量である。それは、エアポンプは、静止状態から調節状態までエアチャンバ層に多量の空気を供給するために必要とされる時間よりも長時間に渡って、エアポケットに空気を供給できるからである。
【００１１】
好適な材料は、粒状材料、ラテックス(latex)、発泡体（foam,部品ないしは断片）、ポリエーテル(polyether)、および/または発泡ポリスチレン粒(expanded polystyrene granules)、などを含む。顆粒は、エアチャンバ層内を簡単に移動するので、好適に、マットレスと接触し、マットレス上で休養している人の体の一部に一致する全体形状を呈することができる。特に休養している姿勢で、記載した以外の材料、および他の材料によってもよい支承が実現されるであろう。
【００１２】
エアチャンバ層の好適な実施形態は請求項９の中で特徴付けられている。
【００１３】
粒状材料の良好な配分、および体の形状への調節の実現を可能にするために、請求項１０の手法が好適に適用される。
【００１４】
特にエアチャンバ層における本発明に係るマットレスの更なる好適な進展は、請求項１１の中で特徴付けられている。ブロック構造は、体に伝達するであろう上部層に発生する引っ張り応力を抑制する。引っ張り応力は、不調のために非常に敏感になっている人に不快感をもたらすであろう。
【００１５】
クレーム１３および１４は、本発明に係るマットレスを一区画から視た好適な実施形態に関する。
【００１６】
本発明は、添付図面を参照しながら、以下の詳述内で更に明らかになるであろう。
【発明を実施するための最良の実施形態】
【００１７】
図の種々の実施形態において、同一の、ないしは類似する要素および部品には、同じ参照番号を付す場合がある。好適な実施形態の説明は、ここでは粒状材料の使用と関係するが、他の材料を適用することもできる。
【００１８】
図１Ａの中で概略的に示すように、本発明に係るマットレス１は、基層２と、基層２の上に配置されたエアチャンバ層３とを備えている。更に明確になるように、粒状材料が、このエアチャンバ層３の中に存在している。
【００１９】
マットレス１は更に、エアチャンバ層３内の空気の量を調節するための調節手段４を備えている。
【００２０】
図示された例示の実施形態において、これらの調節手段４は、エアチャンバ層３に空気を供給すると共にエアチャンバ層３から空気を放出する空気搬送手段と、この空気搬送手段を駆動することができる制御手段に連結された動作検出手段５とを備えている。
【００２１】
調節手段４、より詳しくはその空気搬送手段は、図１Ｃに示す静止状態と図１Ｂに示す調節状態との間で、チャンバ層３内の空気の量を調節する。
【００２２】
調節状態（図１Ｂ）においては、エアチャンバ層３内には多量の空気があるので、マットレス上に横たわっている人６は、比較的硬い、ないしは剛性のあるマットレス上で、制約を受けずに姿勢を変えることができる。
【００２３】
静止状態（図１Ｃ）においては、エアチャンバ層３内の空気はより少ないので、人６はそれ自体を彼または彼女に合わせて「形作る(shape)」エアチャンバ層３内の粒状材料によって部分的に支承されている。
【００２４】
状態を変えて調節状態から静止状態に移る際に、粒状材料は移動して、それ自体を人に合わせて「形作る」ので、人６の横たわっている最も深い部分に関して自由に空間が作られ、人６の横たわっている最も高い部分の下方の空間は、顆粒に満たされる。静止状態に設定されると、顆粒ベッドの「形状」は、関連する姿勢で横たわっている人に適合する。
【００２５】
調節手段の駆動は手動で行えるが、調節手段は動作検出手段５を備える好適な実施形態によれば、以下のように駆動する。即ち、動作検出手段５は人６の動作を検出すると空気搬送手段を駆動し、それにより空気がエアチャンバ層３に供給される。これらの検出手段５はまた、マットレスの内部に配置することができる。動作が止まると所定時間の後、調節手段は空気をエアチャンバ層３から放出することができ、これにより静止状態になる。
【００２６】
動作検出手段は、例えば赤外線検出器を備えてもよく、または例えば圧力検出手段を備えてもよい。この圧力検出手段は、気圧チャンバ３内の気圧ないしは気圧変化、または気圧チャンバ３の上方ないしは上面の動作を検出することができる。人６が動けば、このエアチャンバ層内の圧力が変動し、この変動は人が動いたことを示す。
【００２７】
静止状態において、本発明に係るマットレスはその上に横たわっている人を、非常に良好に支承する。これにより、慢性疼痛、例えばリウマチ障害、繊維筋痛、腰痛などのある人にとっては最適である。本発明に係るマットレスはまた、床擦れを防止できないとしてもそのリスクを低減するので寝たきりの人にとっても最適である。
【００２８】
本発明に係るマットレスは、横たわっている人の形状に順応する顆粒層によって、心地よい支承を提供するが、調節状態において人は実質上、顆粒とは無縁なので、容易に姿勢を変えることができる。静止状態に戻ると顆粒の状態は、うつぶせの人の形に順応する（それ自身を「形作る」）ので、最適な支承が、新しい姿勢においても再び提供される。
【００２９】
基層２は、通常の発泡体であるゴム層であってもよいが、図２に示すような好適な実施形態によれば、エアマットレス層７である。エアマットレス層７内の気圧は、エアチャンバ層８の動作を最適化する適切な態様で調節されるので、マットレス上で横たわっている人９は可能なかぎり良好に支承されると共に、姿勢の変化も可能なかぎり妨げられない。
【００３０】
好適な実施形態によれば図３に示すように、エアチャンバ層３は上ホイル(upper foil)１０および下ホイル(lower foil)１１を備え、それらは周縁端部で互いに気密に連結されている。ストリップ(strip)１２は上ホイル１０および下ホイル１１に、例えば溶接または接着剤により、均一な距離で連結されている。ストリップ１２により、上ホイル１０および下ホイル１１が調節状態においても実質上、互いに平行状態を維持し、例えば隆起し始めることがない。ストリップ１２には、粒状材料１３の通過のために大きな開口部１４が設けられている。この粒状材料は、うつぶせの人に適合するという目的のために、静止状態において、開口部１４を貫通してエアチャンバ層の内部で容易に広がることができる。
【００３１】
図４に示すような更に発展した実施形態によれば、上ホイル２０には、間に折り目２２を規定するブロック構造(block foam)２１が形成されている。上ホイルはここでは、上述のストリップ１２に代わって、糸状結合要素(thread like connecting element)２３によって下ホイルに連結されている。
【００３２】
上ホイル２０内に間に折り目(fold)を備えるブロックを形成することにより、これらのブロックが互いに相対移動できる。これによって上ホイル内の引っ張り応力は、マットレスを保護するために、除去または少なくとも相当に削減される。これらの引っ張り応力はまた、敏感な人に不快をもたらし、横たわっている表面は更に繊細かつ、うつぶせの体の輪郭に一致する態様で調節されるであろう。
【００３３】
糸状結合要素２３により、ブロック状要素の移動に起因する抵抗（上ホイルの隆起）が最小限となる一方、他方では粒状材料のための最大限の自由空間が得られる。完全を期すると、ここではエアチャンバ層３内の内部空間を、粒状材料を除外して示すことで、内部構造を明確に識別するのを可能にしていることに留意すべきである。
【００３４】
下ホイル自体は、一定の間隔を隔てて配置された長手方向の継ぎ目（seam）により、互いに連結された２つのホイルからなることを理解すべきである。そのような長手方向の継ぎ目は、筋、またはスポット溶接による接合点により実現されるであろう。これらの長手方向の継ぎ目の間にはチューブ２４が形成され、このチューブ２４はマットレスに、ある適切な、望ましい、ないしは必要である最小限の剛性を与える。ベースが、それ自体が膨張可能で、最大の高さ、ないしは厚さを有するエアチャンバと、対応する気積とを備えることで、好適には調節状態で（選択的には静止状態でも）空気を満たして、マットレスを望ましい膨らんだ状態とすることができる。ポンプはここでは、チューブ２４に連結され、特に調節状態にあるマットレスの剛性を高める。好適に選択されたチューブ２４上の空間内の充填度、および充填している材料の種類と共に、調節状態用に十分な剛性は、チューブ２４を使用することにより得られる。
【００３５】
静止状態から調節状態まで調節するためにエアチャンバ層に空気を供給する、またはエアチャンバ層から放出することは、エアポンプを用いて自明の態様で行ってもよい。空気収容空間を備えたエアアキュムレータが、しかし好適に適用される。空気の搬送は、ここでは比較的少ない電力で、およびそれ相応に少ないノイズで実現することができる。
【００３６】
図５ＡおよびＢは、本発明に係るアキュムレータの好適な実施形態を示す。図５に示すように、エアアキュムレータ２８は、内部に例えばゴム製ホイル等、可撓性材料からなるチューブ３０を収容する硬質管２９を備えている。可撓性材料からなるこのチューブ３０は、一方の端部３１で閉じている。この可撓性チューブの内部空間は、空気接続部３５を介してエアチャンバ層に連結されている。
【００３７】
可撓性チューブ３０の閉端３１は、ケーブル３２により、電気モータ３４により駆動されるリール３３を備えたケーブル駆動部に接続されている。エアチャンバ層に空気を供給する際には、モータ３４が駆動し、それによりケーブル３２がリール３３に巻き回される。可撓性チューブの閉端３１は、前記駆動部が配置された硬質管(rigid tube)２９の端部に向かって引っ張られており、それにより空気は可撓性チューブから押し出され、接続部３５を介してエアチャンバ層に送られる。
【００３８】
調節状態から静止状態にするために空気を放出する必要がある際には、ケーブル３２は、図５Ａの状況が再び得られるまで繰り出される。
【００３９】
図６は、前記エアアキュムレータとは異なる他の実施形態を示す。このアキュムレータ３６はまた、外側硬質管３９と内側可撓性チューブ３７とを備えている。駆動部４６は、可撓性チューブの閉端近くに配置されており、ケーブルは空気接続部４７近傍で螺旋バネ３８に連結されている。螺旋バネ３８は十分に強いので、管３９の長さのかなりの部分にわたって可撓性チューブ３７の閉端を移動させることができる。空気を移動させて、マットレスを静止状態から調節状態に動かす際には、ケーブル駆動部４６が繰り出されて、それによりばね３８は内側チューブの閉端を空気接続部４７に向かって引っ張ることができる。正反対の動きにおいては、駆動部４６が駆動するので、チューブ３７の閉端は図６において再び右に移動し、エアチャンバ層から空気を放出する。
【００４０】
更に、本発明に係るエアアキュムレータの他の好適な実施形態を図７に示す。このアキュムレータ４０は、可撓性材料からなり、多少エアマットレスと共通点があるエアチャンバ４１を備えている。エアチャンバ４１は、しかし剛性材料から製造されてもよい。
【００４１】
この空気貯蔵室（air storage）４１の内部に接続された放出管４２は、本発明に係るマットレスのエアチャンバ層に連結されている。バルブ４３を開放して、空気を空気貯蔵室からエアチャンバ層に供給する。
【００４２】
調節状態から静止状態まで動かす目的で、空気をエアチャンバ層から再度放出するために、空気を周囲に排出する排出バルブ４４を開放する。
【００４３】
大量の空気が空気貯蔵室４１から放出されると同時に、エアポンプ４５は駆動し、周囲から空気を吸引すると共に、エアアキュムレータ内に加圧する。このポンプ４５は、調節手段が、マットレスを次に静止状態から調節状態の状態に至らせる際に、空気貯蔵室内で十分な気圧を利用可能にするためにのみ必要であるので、容量が小さい。
【００４４】
図８は、図１Ａに示す動作を検出する外部検出手段の変形例として、内部検出手段を備えた実施形態を示す。これらはケーブル５２を備え、ケーブル５２はコーダ５０を介して巻き取りリール５１に連結され、またマットレス５４の上ホイル５３に連結されて動作の検出を可能にするものである。検出に応じて、マットレス５４は、バルブ（図示せず）のようなポンプ手段、または排出手段を使用して、硬く、ないしは剛性を高めることができる。
【００４５】
図９は、手動で、または自動で制御される、ないしは作動されるポンプ５８を使用することで、マットレス５６の側面の区画、ないしはセグメント５５を中間のセグメント５７とは別個により硬く、ないしは剛性を高く、またはより柔らかく、ないしはより柔軟にする。しかしこれは、空気を移動することである。本質ではないが、粒状材料は側面の区画５５内に配置してもよい。側面の区画５５には、基礎的な剛性を得る目的のために、チューブ２４と同様のチューブ５９を設けてもよい。ポンプ５８は、これらのチューブ５９に連結し、側面の区画５５の基礎的な剛性を調節することができる。
【００４６】
特に、マットレスを使用している人の肩、および尻に対応する領域では、これは有用で実用的な追加であると考える。
【００４７】
追加例、ないしは変形例として、側面に延伸区画（extending compartment）を設けることもできる。固体で充填する程度において、個々の区画の（粒状）材料を決定することで、頭部、胴体、または脚など人の身長方向において異なるマットレス上の負荷を考慮に入れることができる。
【００４８】
図１０と１１は、本発明に係るマットレス６０の更に他の実施形態における種々の概要を示す。図１０および１１の実施形態は、図８の実施形態から複数の点において異なる。図８は例えば、ユーザの動作を検出する構造がケーブル５２により実現されており、ケーブル５２は図１０および１１では示されていないが、実在してもよい。
【００４９】
図１０および１１によるマットレス６０の実施形態において、冷却流（cooling flow）６１は更に、マットレス６０内を通過する。これはまた、加熱流(heating flow)６２を備えてもよい。冷却流６１および加熱流６２は概略的にのみ示されており、例えば導管など種々の方法で実現することができる。熱交換要素（追加的にマットレスの外側に位置する）を備えた可撓性のあるホースは、例えば冷却流または加熱流を、ホース内を循環させるために使用される。ある実施形態において、冷却流６１と加熱流６２は１つのユニットとして形成してもよい。他の実施形態もまた、可能である。例えば、加熱流６２の実施形態として電気加熱要素を使用することができる。同様の態様において、そのような実施形態は冷却流６１のために設けることもできる。変形例として、マットレス、特にその区画内に自由な気流を搬送することができる。特にそのような実施形態において、冷却流６１および加熱流６２のような温度調節手段が使用されるとき、考えられる温度調節としては、好適にはマットレス６０の内部に配置されたセンサによる監視、または指示もある。これは、ユーザ用の制御機器に連結され、または信号を送ることができ、それにより、信号が望ましい温度を設定してもよい。センサは図示されておらず、制御機器ではない。マットレス６０のこの実施形態の、そのような特徴はしかし、同じ分野の通常の技術を有する者によって、いとも容易に実現される。
【００５０】
図１０および１１の実施形態は、図８の実施形態と他の側面においても異なる。図８のチューブ２４の代わりに、コア要素をなす他の装置６３が図１０および１１の中で配置されている。コア要素をなすこれらの装置６３は、区画の中で望ましい体積に持ち上げることができる。それ自体がコア要素をなす装置は、個々の装置６３が配置された区画全体よりも占める体積が小さいので、コア要素をなすこれらの装置は、好適に調節し、即座に大きくする、または小さくして、マットレス６０全体を望ましい剛性に調節することができる。図１０の中では、マットレス６０はコア要素をなす装置６３が小さい状態で示されている一方で、図１１の中では、コア要素をなす装置６３が大きい状態で示されている。コア要素をなす装置６３によって占められた体積を調節するために、気圧と異なる他の手段を使用することができる。例えば、図８の実施形態における気圧チューブ２４とは異なるステッピングモータ、または他の電気駆動オプション部品を使用することができる。コア要素をなす装置６３はこのように、大変優れ、また素早い態様で装置６３が占める、ないしは占めるべき体積に調節され、検出されるマットレス６０全体の剛性、ないしは硬さとなる。剛性ないしは硬さは、他の実施形態においてはいずれも完全に空気により達成され、電気的に駆動される、または概ね機械的な手法は図１０および１１の実施形態において、実現される。コア要素をなす装置６３により、図８のチューブ２４と同じ態様で、マットレス６０の剛性、ないしは硬さを、いわばプリセットすることができる。しかし、装置６３は、特にコア要素をなす装置６３が個々内に配置されているマットレス６０の分離した区画内において、それに加えて、またはそれとは択一的にマットレス６０の剛性、ないしは硬さを繊細に見事に調節する一因となる。
【００５１】
コア要素をなす装置６３がステッピングモータおよび/または一種のセンサ、ないしはコーダと共に設計されるのであれば、マットレス６０をユーザが優れた調節を行うことができる、またはマットレス６０の剛性、ないしは硬さをプリセットすることができる制御回路を設けてもよい。（任意にワイヤレスである）リモコンが、例えば設けられてもよい（図示せず）。そのリモコンは例えば、必要に応じてマットレス６０を調節するタッチ画面を備えてもよい。更に：これは検出されるべき、または検出されたマットレス６０の剛性、ないしは硬さを、見事に調節、および/またはプリセットするものである。
【００５２】
図１２は、上方に設置された手段を任意に兼ね合わせた、本発明に係る変形実施形態を示す。輪郭７１の体６,９が乗ったマットレスシステム７０は、例えば縦１０ｃｍ、横１０ｃｍ、高さ１８ｃｍの一連の分離セグメント(separate segment)７２を備えている。個々のこれらのセグメント７２は、それぞれ調節可能であることが、ここでは好ましい。セグメント７２は、このように幅９０ｃｍ、長さ２２０ｃｍのベッドのうち、頭部とサイドストリップを除いた幅７０ｃｍ、長さ１８０ｃｍの領域にとって必要とされる。マットレス７０には例えば、床ずれ防止の目的でカバーホイル７４が設けられ、セグメント７２の上方に配置されることが好ましい。ホイル７４は例えば、スポット溶接の種類を介してセグメント７２に連結されている。これにより、良好な衛生状態、および掃除の容易性を確保し、一方で分離セグメント７２により、ホイルはセグメント７２の変形に従属することができるので、望まれない内部応力は発生しない。セグメント７２はエアクッション、ないしはエアチャンバ７６を備え、それらの内部で、例えば１５ｍＢａｒの一定圧で満たされている。圧力センサ７８が、チャンバ７６の内部、またはチャンバ７６に連結されたエアホース上に組み込まれている。センサ７８が、睡眠姿勢（sleeping position）での例えば１５ｍＢａｒなどの設定値を超えた数値を測定すると同時に、エアバルブ８１が駆動する。底部エアチャンバ８０内の気圧と等しい、例えば４０ｍＢａｒなどの（調節可能な）超過気圧が、リセット状態(reset position)にある間、セグメント内を充填する。リセット状態が終了した後は、セグメント７２、およびチャンバ８０内の気圧は、バルブ８１が開放することにより、１５ｍＢａｒまで減少する。圧力の低下により、最初の輪郭形成が行われる。第１セグメント７２Ａには、負荷がまだかかっていない（それゆえエアチャンバ内の気圧は５ｍＢａｒ）が、一方で、第２セグメント７２Ｂには負荷がかかっており（気圧は３０ｍＢａｒ）、例えば第３セグメント７２Ｃには負荷がかかり、いくらか広がっている（気圧は２０ｍＢａｒ）。修正段階（reset phase）が終わるとすぐに、例えば２０ｍＢａｒ加圧されて、底部エアチャンバ８０内に作用する。バルブ８２は、ここでは閉じたままである。底部エアチャンバ８０は、例えば高さ３ｃｍのポリエステルから構成された平らなチャンバとして具体化されてもよく、チャンバ内には空気８４および制御機器８６と関係する種々のもの、また例えばチャンバ７６に連通する導管８８を収容することができる。バルブ８２は、図１２Ａの状態から図１２Ｂの状態まで変化する間、１つのユニットとして機械的、または電気的に同時に開閉することが好ましい。バルブ８２はしかし、個別に関連セグメント（relevant segment）７２内に配置された圧力センサ７８に電気的に連結されている。ここでは、センサ７８が超過圧力を記録するとすぐに、個々のバルブは、例えば１５ｍＢａｒの圧力が再びセグメント７２内のエアチャンバ内を充填するまで開放する。第２セグメント７２Ｂの体積は、ここでは例えば３０％減少してもよく、また第３セグメント７２Ｃの体積は１５％減少してもよい。泡フィリング（foam filling）８２がここでは、重量の一部を支える。セグ��ント７２Ｂ内の体積が減少する結果、第１セグメント７２Ａの体積もまた、５％減少する。図１２Ｃによる状態においては、１５ｍＢａｒを超える超過圧力が、全てのエアチャンバ７２内を充填している。これは、体にかかる反対圧力が、姿勢を少し変化する場合においてさえも、横たわっている表面のどこにおいても１５ｍＢａｒよりも高くならないことを意味する。これは、セグメント７２をそれぞれ調節することができるため、可能である。（調節可能な）閾値に到達したケースにおいては、リセット手順を再度、行う。これにより、マットレス７０はより正確な態様で機能することができる。睡眠姿勢においては、より大きく自由に動いても、横たわっている表面のいずれにおいても、ここでは１５ｍＢａｒである上限を超えないであろう。必要な修正もまた、最小限になり、これにより設定値を簡単に変更することができ、更にユーザに適応させることができる。セグメント７２についての設定値を変化させることにより、マットレス７０は、例えば床ずれ防止マットレスとして、より好適なものとなる。これに続いて、制御プログラムにより制御を発展させることができる。前記制御プログラムにおいては、切り替えバルブが、睡眠の期間およびある瞬間による睡眠サイクル（睡眠の様相、睡眠のリズム、および個々の要求）の間、変化する。
【００５３】
前述のものを考察すると、本発明の範囲内にある他の追加の、および変形の実施形態は当業者が想到するであろう。特に、尻、および肩に対応する領域では、マットレスの長手方向に関し直交方向に区画を設けて、長手方向の粒状材料の移動を制限してもよい。クレームに本質的に適合しない場合には、マットレスのエッジ領域を縁取りしてもよい。しかし、マットレスのより中心部であって横たわる領域は、例えば、それをもって適合することができる。枕の下の領域は、図９、１０、または１１と同様の態様の中で、マットレスの剛性、ないしは硬さ用制御手段を備えてもよい。同じことを、マットレスの足先部分に適用してもよい。
【００５４】
区画の多くの組み合わせ、および区分けが可能である。図８、および９に図示された側面の区画５５は、マットレスの長さ方向に沿って３つに分けられてもよく、一方で、中間区画が長手方向には１０、またはそれ以上（またはそれ以下）に、横方向には４つ、またはそれ以上（またはそれ以下）に規定されてもよい。
【００５５】
成形材料に追加の、または変形例として、選択された区画は更に、例えば頭部、または肩の領域において特に、それぞれコア要素を備えることができる。
【図面の簡単な説明】
【００５６】
【図１Ａ】本発明に係るマットレスの配置図である。
【図１Ｂ】調節状態のエアチャンバ層を備えた本発明に係るマットレスを示す。
【図１Ｃ】静止状態のエアチャンバ層を備えた図１Ｂに対応する図である。
【図２】マットレスが異なる基層を備えた、図１Ｃに対応する図である。
【図３】本発明の第１実施形態に係るマットレスの部分断面斜視図。
【図４】本発明に係る他の実施形態のマットレスを示す。
【図５Ａ】エアアキュムレータの２つの作動状態を示す。
【図５Ｂ】エアアキュムレータの２つの作動状態を示す。
【図６】エアアキュムレータの第２実施形態を示す。
【図７】エアアキュムレータの第３実施形態を示す。
【図８】本発明に係るマットレスの更なる実施形態を示す。
【図９】なお一層の他の実施形態を示す。
【図１０】２通りの各作動状態における本発明に係るマットレスの他の更なる実施形態を示す。
【図１１】２通りの各作動状態における本発明に係るマットレスの他の更なる実施形態を示す。
【図１２】本発明に係る更なる実施形態を示す。
【符号の説明】
【００５７】
１  マットレス
２  基層
３  エアチャンバ層
４  調節手段
５  動作検出手段
１０  上ホイル
１１  下ホイル
１２  ストリップ
１３  粒状材料
１４  開口部
２１  ブロック構造
２３  糸状結合要素
２８、３６  エアアキュムレータ
３０  チューブ
３２  ケーブル
３３  リール
３４  電気モータ
４３  バルブ
４４  排出バルブ
４５  エアポンプ
５５  側面の区画
５７  中間のセグメント
６１  冷却流
６２  加熱流
６３  装置
【図１Ａ】
2009535149.tif 000003
【図１Ｂ】
2009535149.tif 000004
【図１Ｃ】
2009535149.tif 000005
【図２】
2009535149.tif 000006
【図３】
2009535149.tif 000007
【図４】
2009535149.tif 000008
【図５Ａ】
2009535149.tif 000009
【図５Ｂ】
2009535149.tif 000010
【図６】
2009535149.tif 000011
【図７】
2009535149.tif 000012
【図８】
2009535149.tif 000013
【図９】
2009535149.tif 000014
【図１０】
2009535149.tif 000015
【図１１】
2009535149.tif 000016
【図１２Ａ】
2009535149.tif 000017
【図１２Ｂ】
2009535149.tif 000018
【図１２Ｃ】
2009535149.tif 000019
【国際調査報告】
2009535149.tif 000020
2009535149.tif 000021
2009535149.tif 000022